(57)【要約】【課題】  検査時間を短縮できる陽電子放出型ＣＴ装置を提供する。【解決手段】  陽電子放出型ＣＴ装置は、撮像装置１，被検診者保持装置２，信号処理装置３を備える。多数の放射線検出器１１は撮像装置１に環状に配置される。多数の放射線検出器１１に取り囲まれて形成される有効視野領域１４の外から放射線検出器１１へのγ線の入射を遮るγ線遮蔽装置２５，２８が、撮像装置１の両側に配置される。γ線遮蔽装置２５，２８は、内部に被検診者５を挿入可能なγ線遮蔽具２６，２９及び蓋部材２７，３０を有する。γ線遮蔽装置２５，２８が有効視野領域１４の外から放射線検出器１１へのγ線の入射を遮るため、被検診者５の投与放射能の集積度が増大しても偶発事象の計数率の増加が抑制され、検査時間の短縮がもたらされる。【選択図】図１
2005106562.tif 000002
【特許請求の範囲】
【請求項１】
被検体を支持するベッドと、
前記ベッドの周囲を取り囲む複数の放射線検出器を有する撮像装置と、
縦断面形状が、前記複数の放射線検出器に囲まれて形成されて前記ベッドが挿入可能な空間の縦断面形状よりも小さく、前記ベッドの長手方向に伸びていて前記ベッド及び前記被検体を挿入可能な放射線遮蔽装置とを備え、
前記放射線遮蔽装置は、前記空間の外周面よりも内側で前記空間の外に配置されていることを特徴とする陽電子放出型ＣＴ装置。
【請求項２】
前記撮像装置は、２つの前記放射線遮蔽体装置の間に配置されている請求項１記載の陽電子放出型ＣＴ装置。
【請求項３】
前記放射線遮蔽体装置は、前記ベッド及び前記被検体が挿入可能な下部放射線遮蔽部と、前記下部放射線遮蔽部材に開閉可能に取り付けられて蓋となる上部放射線遮蔽部材とを有し、
前記上部放射線遮蔽部材を開閉する開閉装置を設けた請求項１または請求項２記載の陽電子放出型ＣＴ装置。
【請求項４】
少なくとも一方の前記放射線遮蔽体装置は上部が開放されている請求項２記載の陽電子放出型ＣＴ装置。
【請求項５】
前記撮像装置は外部から前記空間内への放射線の入射を遮ぎるシールドコリメータを前記ベッドの長手方向における端部に設け、前記シールドコリメータは前記放射線遮蔽装置の縦断面形状よりも外側に配置されている請求項１または請求項２記載の陽電子放出型
ＣＴ装置。
【請求項６】
前記放射線遮蔽装置は鉛ガラスで作製されている請求項１ないし請求項５のいずれか１項に記載の陽電子放出型ＣＴ装置。
【請求項７】
前記放射線検出器が半導体放射線検出器である請求項１ないし請求項６のいずれか１項に記載の陽電子放出型ＣＴ装置。
【発明の詳細な説明】
【技術分野】
【０００１】
本発明は、陽電子放出型ＣＴ（ポジトロン・エミッション・コンピューテッド・トモグラフィ（Positron Emission Computed Tomography）装置（以下、ＰＥＴ装置という）に関するものである。
【背景技術】
【０００２】
放射線を利用した検査技術は、被検体内部を非破壊で検査することができる。特に人体に対する放射線検査技術にはＸ線ＣＴ，ＰＥＴ（Positron Emission Tomography），
ＳＰＥＣＴ(Single Photon Emission Tomography）等がある。これらの技術はいずれも放射線の積分値（飛翔方向）の物理量を計測し、その積分値を逆投影することにより被検体内の各ボクセルの物理量を計算し画像化する技術である。これらの技術は膨大なデータを処理する必要があり、近年のコンピュータ技術の急速な発達に伴い、高速・高精細画像を提供できるようになってきた。
【０００３】
ＰＥＴは、陽電子放出核種（15Ｏ，13Ｎ，11Ｃ，18Ｆ等）、及び体内の特定の細胞に集まる性質を有する物質を含む放射性薬剤（以下、ＰＥＴ用薬剤）を被検診者に投与し、そのＰＥＴ用薬剤が体内のどの部位で多く消費されているかを調べる方法である。放射性薬剤の一例として、フルオロデオキシグルコース(２−［Ｆ−１８］fluoro−２−deoxy−Ｄ−glucose、１８ＦＤＧ)がある。１８ＦＤＧは、糖代謝により腫瘍組織に高集積するため、腫瘍部位の特定に使用される。特定の個所に集積したＰＥＴ用薬剤に含まれた陽電子放出核種から放出された陽電子が、付近の細胞の電子と結合して消滅し、５１１ｋｅＶのエネルギーを有する一対のγ線を放射する。これらのγ線は、互いにほぼ正反対の方向
(１８０°±０.６°) に放射される。この一対のγ線を放射線検出器で検知すれば、どの２つの放射線検出器の間で陽電子が放出されたかがわかる。それらの多数のγ線対を検知することで、ＰＥＴ用薬剤を多く消費する場所がわかる。例えば、１８ＦＤＧは前述のように糖代謝の激しい癌細胞に集まるため、ＰＥＴにより癌病巣を発見することが可能である。なお、得られたデータは、前述のフィルタードバックプロジェクション方法により各ボクセルの放射線発生密度に変換され、γ線の発生位置（放射線核種が集積する位置、すなわち癌細胞の位置）を画像化することに貢献する。ＰＥＴに用いられる15Ｏ，13Ｎ，
11Ｃ，18Ｆは２分から１１０分の短半減期の放射性同位元素である。
【０００４】
現在のＰＥＴでは全身の検査に数十分の時間を要する。ＰＥＴ装置では、検査時間が非常に重要な性能の１つである。検査時間を短縮することによって、被検診者の負担が低減するだけでなく、検査中の被検診者の移動を低減し画質が向上する。検査時間を短縮するためには、放射線検出器の感度を向上すればよく、そのために新種のシンチレータが検討されている。また、放射線検出器を備えたガントリ（検出器リング）の大型化（体軸長の増加）により実質的な感度を向上することが可能である。これは放射線検出器の被検診者に対する立体角を増加させて実効的な検出感度を向上するものである。
【０００５】
【特許文献１】特開２００２−７１８１３号公報段落番号００３０，図１
【特許文献２】特開２００３−７９６１４号公報
【発明の開示】
【発明が解決しようとする課題】
【０００６】
ＰＥＴの検査時間短縮のために、ガントリ体軸長を大きくすることは有効であるが、ただ単にガントリの体軸長を増加させただけでは、ガントリの外から入射するγ線が増加し偶発同時計数や回路系のデータ損失が増大し装置の実効的な感度は飽和してしまう。このガントリ外からのγ線の入射を減らすには、放射線検出器の最外周にシールドコリメータを取り付けることが有効である。しかし、ガントリ中への被検体の挿入のためにガントリの開口径を大きく取る必要があり、シールドコリメータの大きさには限界がり、その効果にも限界がある。
【０００７】
本発明の目的は、検査時間を短縮できる陽電子放出型ＣＴ装置を提供することにある。
【課題を解決するための手段】
【０００８】
上記した課題を達成する本発明の特徴は、縦断面形状が、複数の放射線検出器に囲まれて形成されてベッドが挿入可能な空間の縦断面形状よりも小さく、ベッドの長手方向に伸びていてベッド及び被検体を挿入可能な放射線遮蔽装置を備え、放射線遮蔽装置は、その空間の外周面よりも内側でその空間の外に配置されていることにある。
【０００９】
ベッドの長手方向に伸びていてベッド及び被検体を挿入可能な放射線遮蔽装置が、複数の放射線検出器に囲まれて形成されてベッドが挿入可能な空間の外周面よりも内側でその空間の外に配置されているため、その空間の外からの放射線を放射線検出器に入射することを抑制できる。このため、被検体の投与放射能の集積度が増大しても偶発事象の計数率の増加が抑制され、ノイズ成分を考慮した実効的なカウントレート（ＮＥＣＲ）が増大する。ＮＥＣＲの増大は検査時間の短縮をもたらす。
【発明の効果】
【００１０】
本発明によれば、偶発事象の検出レートを著しく低減し、陽電子放出型ＣＴ装置による検査時間を著しく短縮する。
【発明を実施するための最良の形態】
【００１１】
以下、本発明の実施例を説明する。
【実施例１】
【００１２】
本発明の好適な一実施例であるＰＥＴ装置を、図１及び図２に基づいて説明する。本実施例のＰＥＴ装置は、撮像装置１，被検診者保持装置２，信号処理装置３を備えている。
【００１３】
撮像装置（ガントリ）１は、ベッド２２の長手方向と直交するように設置されており、放射線検出器１１，環状保持部１２を有する。放射線検出器１１は、環状保持部１２の内側に多数設置され、ベッド２２を取り囲むように環状に数万個配列されている。放射線検出器１１は、半導体放射線検出器であり、検出部である５mm立方体の半導体素子部をカドミウムテルル（ＣｄＴｅ）で構成している。その検出部はガリウムヒ素（ＧａＡｓ）またはカドミウムテルル亜鉛（ＣＺＴ）等で構成してもよい。環状保持部１２は、検査室の床に設置された支持部材２１の支持部４２に設置されている。また、有効視野領域１４は、環状に配置された放射線検出器１１に取り囲まれ、ベッド２２により支持された被検診者５が挿入可能な領域であり、本ＰＥＴ装置の検査可能な領域である。すなわち、有効視野領域１４は、撮像装置１の、ベッド２２の長手方向における両端面間に存在し、環状に配置された放射線検出器１１で囲まれる領域である。
【００１４】
被検診者保持装置２は、支持部材２１の支持部４１，ベッド２２，２個のγ線遮蔽装置（放射線遮蔽装置）２５，２８及びγ線遮蔽装置２５，２８のそれぞれに設けられた蓋部材開閉装置２４を有する。ベッド２２は、支持部４１の上端部に位置して長手方向に移動可能に支持部４１に設置される。ベッド２２は被検診者５を保持しその長手方向に移動できる。γ線遮蔽装置２５はγ線遮蔽具（下部放射線遮蔽部材）２６及びγ線遮蔽具２６に開閉可能に取り付けられた蓋部材（上部放射線遮蔽部材）２７を有する。γ線遮蔽装置
２８もγ線遮蔽具（下部放射線遮蔽部材）２９及びγ線遮蔽具２９に開閉可能に取り付けられた蓋部材（上部放射線遮蔽部材）３０を有する。γ線遮蔽具２６，２９は、底部及び底部につながり対向して配置される２つの側壁部を有する。これらの側壁部間には、被検診者５が入れる空間が形成される（図２）。蓋部材２７，３０は、図２に示すように半楕円形状をしており、該当する蓋部材開閉装置２４により開閉される。γ線遮蔽具２６，
２９及び蓋部材２７，３０は放射線遮蔽材である鉛（またはタングステン）で作製されている。γ線遮蔽装置２５，２８は、有効視野領域１４内へのγ線の入射を阻止する観点から、撮像装置１、特に有効視野領域１４に近接しては位置する。
【００１５】
γ線遮蔽装置２５，２８は、有効視野領域１４の外側で、撮像装置１の前後に配置される。換言すれば、撮像装置１はγ線遮蔽装置２５とγ線遮蔽装置２８に挟まれて配置されている。γ線遮蔽具２６は、ベッド２２が保持される位置よりも低い位置で支持部４１の上端部に保持される。γ線遮蔽具２９は、支持部材２１の支持部４０の上端部に保持される。蓋部材２７，３０は、検査期間中では図２のように閉じられており、検査期間前後で被検診者５がγ線遮蔽具内に出入りするときには開いている。γ線遮蔽装置２５，２８の縦断面における大きさは有効視野領域１４の縦断面に入る大きさである。γ線遮蔽装置
２５は、図２に示すように、その縦断面が有効視野領域１４と対向するように配置されている。γ線遮蔽装置２８も同じように配置されている。
【００１６】
信号処理装置３は、信号増幅回路３１，信号弁別回路３２，同時計測回路３３，画像情報作成装置（例えば、ワークステーション）３４，記憶装置３５及び表示装置３６を備えている。信号増幅回路３１及び信号弁別回路３２は、放射線検出器１１ごとに専用に設けられている。１つの信号増幅回路３１は１つの放射線検出器１１に接続される。信号弁別回路３２は信号増幅器３１に接続される。それぞれの信号弁別回路３２は同時計測回路
３３に接続される。
【００１７】
本実施例のＰＥＴ装置を用いた検査を具体的に説明する前に、本実施例のγ線遮蔽装置の効果について説明する。撮像装置の前後のγ線遮蔽装置の設置は、発明者らによる以下に述べる検討で得られた結果に基づいてなされた。
【００１８】
図７及び図８に本実施例のγ線遮蔽装置を使用した場合と使用しない場合におけるシミュレーション結果を示す。図７の横軸は投与放射能の集積度、その縦軸はＮＥＣＲ(NoiseEquivalent Count Rate）を示している。ＮＥＣＲは式（１）より算出されるノイズ成分を考慮した実効的なカウントレートである。ＮＥＣＲと測定時間は反比例の関係にある。
【００１９】
【数１】
2005106562.tif 000003
【００２０】
ただし、Ｃ(ｔ)，Ｃ(ｓ)，Ｃ(ｒ)はそれぞれ真，散乱，偶発事象における同時計数率である。図８の横軸は投与放射能の集積度、縦軸は偶発事象の計数率Ｃ(ｒ)表している。図７より、投与放射能の集積度（投与放射能）を増大すると、ＮＥＣＲは飽和する。これは投与放射能の増大により検出されるγ線のレートは増加するが、図８に示すように偶発事象（Ｃ(ｒ)）の検出レートも急激に増加するためである。図８より、γ線遮蔽装置を取り付けることにより、偶発事象の計数率が大幅に減少していることが分かる。これは、γ線遮蔽装置が撮像装置の外の領域からのγ線の入射を阻止しているためである。従って、γ線遮蔽装置を取り付けることにより、図７に示すごとくＮＥＣＲは大幅に増加する。例えば、投与放射能の集積度が０.２μＣｉ／ＣＣ であるとき、ＮＥＣＲは、「γ線遮蔽装置無し」で２７kcpsであるのに対して、「γ線遮蔽装置有り」で６５kcpsとなる。後者の
ＮＥＣＲは前者のそれの約２.４ 倍となる。これは、撮像時間が約２.４ 分の１に短縮されることを意味する。「γ線遮蔽装置無し」の場合、では１領域の撮像時間が３分であったのが、γ線遮蔽体装置を備えることによってその撮影時間が１分強まで大幅に短縮できる。
【００２１】
次に、本実施例のＰＥＴ装置を用いた検査について、説明する。まず、注射などの方法により予め決定したＰＥＴ用薬剤を被検診者５に投与する。ＰＥＴ用薬剤は、検査する患部に応じて選ばれる。その後、ＰＥＴ用薬剤が被検診者５の体内に拡散して患部（例えば癌の患部）に集まって撮像可能な状態になるまでの安静時間の間、被検診者５は待機する。その安静時間経過後に、被検診者５はベッド２２に載る。この際、蓋部材２７は蓋部材開閉装置２４により開いた状態にしておく。被検診者５がベッド２２に横たわった後、蓋部材２７は蓋部材開閉装置２４によって閉じられる。ベッド２２はγ線遮蔽装置２５内に位置している。なお、蓋部材３０は閉じたままになっている。被検診者５は、ベッド２２の移動によって撮像装置１の有効視野領域１４内に挿入される。被検診者５の検査対象領域（患部を含む）が有効視野領域１４内に位置したとき、ベッド２２の移動は停止される。
【００２２】
ＰＥＴ検査は撮像装置２を用いて行われる。ＰＥＴ用薬剤が投与された被検診者５の検査対象領域が有効視野領域１４内に挿入され、各放射線検出器１１に電源（図示せず）からの電圧が印加された後、各放射線検出器１１は被検診者５から放出されたγ線を検出する。すなわち、ＰＥＴ検査が開始される。ＰＥＴ検査終了後、被検診者５がベッド２２の移動によって撮像装置１の有効視野領域１４の外まで移動する。そして、蓋部材開閉装置２４によって蓋部材２７を開く。そして被検診者５はベッド２２から降りる。
【００２３】
ＰＥＴ検査時において放射線検出器１１から出力される信号の処理について説明する。放射線検出器１１は、ＰＥＴ用薬剤に起因して発生したγ線を検出して微弱なγ線検出信号を出力する。このγ線検出信号は該当する信号増幅回路３１で増幅される。信号増幅回路３１は、増幅して得られた、検出したγ線のエネルギーに相当する波高値を有するアナログ信号、及びγ線を検出したタイミング信号をそれぞれ出力する。図１では信号増幅回路３１が撮像装置１から離れて設置されているように図示しているが、実際には撮像装置１内で放射線検出器１１のそばに設置されている。放射線検出器１１から出力されたγ線検出信号は微弱信号であり、ノイズ対策の観点から信号増幅回路３１は放射線検出器１１の近くに設置すべきである。信号弁別回路３２は、信号増幅回路３１から入力したアナログ信号を基に、アナログデジタルコンバータ（図示せず）でγ線エネルギー（波高値）を計測し、デジタルデータとして保持する。信号弁別回路３２は、信号増幅回路３１から入力したタイミング信号を基にγ線の検出時間を決定する。更に、信号弁別回路３２は、γ線検出時間，γ線エネルギー、及びこの信号弁別回路３２につながる放射線検出器１１のセンサ番号を１つのパケットデータとして同時計測回路３３に転送する。同時計測回路
３３は撮像装置１内の全ての放射線検出器１１につながるそれぞれの信号弁別回路３２から出力されたγ線検出データである上記パケットデータを入力し同時計測を実施する。すなわち、同時計測回路３３は、γ線検出時間が設定時間の時間窓内に入っている一対のパケットデータをＰＥＴ用薬剤に起因して生成された一対のγ線に基づくものであると認識する同時計測を行い、同時と判定されたパケットデータ対からセンサ番号対を生成して画像情報作成装置３４にデータ転送する。計測時には、画像情報作成装置３４は同時計測回路３３から出力されたセンサ番号対データを記憶装置３５に保持する。計測終了後に、画像情報作成装置３４は、記憶装置３５に保持されたセンサ番号対データを基に画像再構成処理を行ってＰＥＴ画像情報を作成する。画像情報作成装置３４はＰＥＴ画像情報を表示装置３６に出力する。
【００２４】
γ線遮蔽装置２５，２８は、検査期間中において有効視野領域１４外で発生するγ線が放射線検出器１１に入射されるのを阻止する。すなわち、ＰＥＴ用薬剤は、被検診者５の患部に集積するが、血液に混じって全身を流動している。このため、わずかであるがγ線は患部以外の部分でも発生する。γ線遮蔽装置２５，２８は、有効視野領域１４外で患部以外の部分で発生したγ線を遮蔽する。このため、このγ線が放射線検出器１１に入射されることがなくなる。
【００２５】
本実施例によれば、以下に示す効果を得ることが出来る。
【００２６】
（１）本実施例では、γ線遮蔽装置２５，２８を設置しているため、撮像装置１の有効視野領域１４の外から放射線検出器１１に入射されるγ線を阻止することができ、検査時間を大幅に短縮できる。
【００２７】
（２）検査時間の大幅短縮を達成できるために、検査中の被検診者５の移動量が大幅に小さくなりＰＥＴ画像の画質を大幅に改善することができる。
【００２８】
（３）ノイズ成分である偶発事象が大幅に減少するために、作成されたＰＥＴ画像の画質が大幅に向上する。
【００２９】
（４）撮像装置１の有効視野領域１４の外からのγ線が阻止されるために、検出されるγ線のレートが大幅に低減され、回路によりデータ損失が大幅に低減される。このため、検査の定量性が向上する。
【００３０】
（５）従来技術においては偶発事象の増加が激しいために撮像措置の大型化（検出器群の体軸長の増大）が困難であったが、本実施例は、偶発事象が大幅に低減されるため撮像装置の大型化が可能となり、更なる検査時間の短縮が可能となる。
【００３１】
（６）従来技術においてはガントリ外からのγ線の入射を阻止するために検出器の最外周にシールドコリメータを取り付けていた。本実施例は、γ線遮蔽装置２５，２８の設置によりシールドコリメータが不要となる。
【００３２】
（７）γ線遮蔽装置を設けているため、撮像装置を小型化できる。具体的には、γ線遮蔽装置の設置により有効視野領域１４の直径を小さくできるため、環状保持部材１２の直径も小さくなり、設置される放射線検出器１１の個数も低減できる。
【００３３】
（８）有効視野領域１４の直径が小さくなるため、被検診者５側から見た放射線検出器１１の立体角が増大し、ＰＥＴ装置全体での検出効率が増加する。このため、検査時間が更に短縮される。
【００３４】
（９）陽電子消滅時に発生する一対のγ線の放出方向のなす角度は、１８０度に若干の誤差（±０.６°）を伴っており、従来技術ではこの誤差がＰＥＴ画像の位置分解能を劣化させている。本実施例は、有効視野領域１４の直径の減少により有効視野領域１４の中心軸を挟んで対向する２つの放射線検出器１１間の距離が短くなるため、その誤差が少なく、ＰＥＴ画像の位置分解能が向上する。
【００３５】
本実施例においては、γ線遮蔽装置２５，２８を鉛で作製しているがそれに限定されない。例えば、γ線遮蔽具２６，２９及び蓋部材２７，３０を鉛ガラスにしても良い。この場合、鉛ガラスは透明であるため、被検体である被検診者５に対する圧迫感が軽減される。また、検査中における被検体の表情や意識をカメラにて検査実施者（医者，検査技師）が観察することが可能となり、被検体の様態変化に即時対応可能となる。
【実施例２】
【００３６】
本発明の他の実施例であるＰＥＴ装置を、図３を用いて説明する。本実施例のＰＥＴ装置は、撮像装置１Ａ，被検診者保持装置２Ａ、及び図示されていないが信号処理装置３を備えている。撮像装置１Ａは、前述の撮像装置１のγ線遮蔽装置２５側の端面、及びγ線遮蔽装置２８側の端面にそれぞれシールドコリメータ１３を取り付けた構成を有する。各シールドコリメータ１３は、図２において、γ線遮蔽装置の外面と環状に配置された放射線検出器１１の検出器群の内面との間を塞ぐように設けられている。有効視野領域１４が真っ暗になって被検診者５に恐怖感を与えることを防ぐために、各シールドコリメータ
１３は鉛ガラスで作製される。被検診者保持装置２Ａは、γ線遮蔽装置２５，２８よりも長さが短いγ線遮蔽装置２５Ａ，２８Ａを備えている点で、被検診者保持装置２と構成が異なっているだけである。当然のことながら、γ線遮蔽装置２５Ａを構成するγ線遮蔽具２６Ａ及び蓋部材２７Ａ、及びγ線遮蔽装置２８Ａを構成するγ線遮蔽具２９Ａ及び蓋部材３０Ａの長さも、実施例１のそれらよりも短くなっている。本実施例は、有効視野領域１４の外からγ線が放射線検出器１１に入射するのを、一対のシールドコリメータ１３、及びγ線遮蔽装置２５Ａ，２８Ａで防止している。
【００３７】
本実施例は、実施例１で生じる効果（１）〜（５）及び（７）〜（９）の効果を得ることができる。さらに本実施例は以下に示す効果も得ることができる。
【００３８】
（１０）γ線遮蔽装置が小型化され、ＰＥＴ装置が小型，軽量化される。
【００３９】
（１１）γ線遮蔽装置の小型，軽量化により、蓋部材開閉装置も小型化できる。
【実施例３】
【００４０】
本発明の他の実施例であるＰＥＴ装置を、図４，図５を用いて説明する。本実施例の
ＰＥＴ装置は、撮像装置１，被検診者保持装置２Ｂ、及び図示されていないが信号処理装置３を備えている。被検診者保持装置２Ｂは、γ線遮蔽装置２８Ｂの構成がγ線遮蔽装置２８と異なるだけで、他の部分は被検診者保持装置２の他の構成と同じである。γ線遮蔽装置２８Ｂは、蓋部材３０を設けていなく、γ線遮蔽具２９を備えている。このため、γ線遮蔽装置２８Ｂは上方が開放されている。
【００４１】
本実施例は、実施例１で生じる（１）〜（９）の効果を得ることができる。さらに、本実施例は、蓋部材３０、及びγ線遮蔽装置２８Ｂ用の蓋部材開閉装置２４が不要になるため、被検診者保持装置の構造を単純化できる。
【００４２】
本実施例は、γ線遮蔽装置２８Ｂの上方が開放されている関係上、γ線遮蔽装置２８Ｂの上端のレベルよりも上方に位置する、撮像装置１の放射線検出器１１は、γ線遮蔽装置２８Ｂ側において有効視野領域１４の外からのγ線を検出する。しかしながら、γ線遮蔽装置２８Ｂの上端のレベルよりも下方に位置する、撮像装置１の放射線検出器１１は、γ線遮蔽装置２８Ｂがあるため、有効視野領域１４の外からのγ線を検出しない。このため、実施例１で生じる効果のうち（１）〜（５）の効果は、実施例１よりも低減されるが従来技術に比べれば大きなものとなる。
【００４３】
なお、本実施例の被検診者保持装置２Ｂを、図６に示す被検診者保持装置２Ｃにしてもよい。被検診者保持装置２Ｃは、γ線遮蔽装置２８Ｂの考え方を被検診者保持装置２Ｂのγ線遮蔽装置２５にも適用したものである。すなわち、被検診者保持装置２Ｃは、蓋部材２７を設けず、γ線遮蔽具２６を有するγ線遮蔽装置２５Ｂを備えている。被検診者保持装置２Ｃの構成は被検診者保持装置２Ｂよりも更に単純化できる。図６の構成も、従来技術に比べて前述した効果（１）〜（９）を得ることができる。
【００４４】
実施例１ないし３は、放射線検出器として半導体放射線検出器を使用しているが、シンチレータ及びホトマルを使用してもよい。実施例１ないし３のγ線遮蔽装置は、シート状のγ線遮蔽具を使用し、被検診者５の形状にフィットさせても良い。つまり、γ線遮蔽装置は、有効視野領域１４の外からのγ線を遮蔽できればどのような構成であってもよい。
【図面の簡単な説明】
【００４５】
【図１】本発明の好適な一実施例である実施例１の陽電子放出型ＣＴ装置の縦断面図である。
【図２】図１のII−II断面図である。
【図３】本発明の他の実施例である実施例２の陽電子放出型ＣＴ装置の縦断面図である。
【図４】本実施例の他の実施例である実施例３の陽電子放出型ＣＴ装置の縦断面図である。
【図５】図４のＶ−Ｖ断面図である。
【図６】図４に示す被検診者保持装置の他の実施例の縦断面図である。
【図７】投与放射能の集積度とＮＥＣＲとの関係を示す特性図である。
【図８】投与放射能の集積度と偶発事象の計数率との関係を示す特性図である。
【符号の説明】
【００４６】
１，１Ａ…撮像装置、２，２Ａ，２Ｂ，２Ｃ…被検診者保持装置、３…信号処理装置、１１…放射線検出器、１２…環状保持部、１３…シールドコリメータ、１４…有効視野領域、２２…ベッド、２４…蓋部材開閉装置、２５，２５Ａ，２５Ｂ，２８，２８Ａ，２８Ｂ…γ線遮蔽装置、２６，２６Ａ，２９，２９Ａ…γ線遮蔽具、２７，３０…蓋部材、
３１…信号増幅回路、３２…信号弁別回路、３３…同時計測回路、３４…画像情報作成装置。
【図１】
2005106562.tif 000004
【図２】
2005106562.tif 000005
【図３】
2005106562.tif 000006
【図４】
2005106562.tif 000007
【図５】
2005106562.tif 000008
【図６】
2005106562.tif 000009
【図７】
2005106562.tif 000010
【図８】
2005106562.tif 000011